(57)【要約】【課題】寸法精度の低下や連結ボルトを締結する際の作業性低下を招来することなく、固定部材の脱落を確実に防止すること。【解決手段】カーテンウォール１を構成する面材１０に取り付けられる取付部２１と、両端面が開口し、内部にナット部材５０，５１を収容する収容溝２３ａ，２３ｂと、収容溝２３ａ，２３ｂに交差して形成された連結ボルト用挿通孔２３ｅとを有し、建造物の躯体Ａに設けたファスナーＢ及び連結ボルト用挿通孔２３ｅを介してナット部材５０，５１に連結ボルト４０を締結することにより、ファスナーＢを介して躯体Ａに面材１０を支持させるカーテンウォール固定用ブラケット２０において、収容溝２３ａ，２３ｂの両端部においてナット部材５０，５１の端面の少なくとも一部に対向する部位にネジ部材３０を配設した。【選択図】図２
2010174572.tif 000002
【特許請求の範囲】
【請求項１】
カーテンウォールを構成する面材に取り付けられる取付部と、両端面が開口し、内部に固定部材を収容する収容溝と、前記収容溝に交差して形成された連結ボルト用挿通孔とを有し、建造物の躯体に設けたファスナー及び前記連結ボルト用挿通孔を介して前記固定部材に連結ボルトを締結することにより、当該ファスナーを介して前記躯体に前記面材を支持させるカーテンウォール固定用ブラケットにおいて、
前記収容溝の両端部において前記固定部材の端面の少なくとも一部に対向する部位に脱落防止部材を配設したことを特徴とするカーテンウォール固定用ブラケット。
【請求項２】
前記固定部材は、ナット部材であり、
前記脱落防止部材は、頭部の一部を前記ナット部材の端面に対向させた状態で螺合したネジ部材であることを特徴とする請求項１に記載のカーテンウォール用固定ブラケット。
【請求項３】
前記取付部は、プレート状を成し、かつ前記収容溝は、前記取付部から突出して形成した収容部を貫通するように設けたものであり、
前記脱落防止部材は、弾性部材によって無端環状に成形し、前記収容溝の両端面を通過した状態で前記収容部に装着した弾性ベルト部材である
ことを特徴とする請求項１に記載のカーテンウォール用固定ブラケット。
【請求項４】
面材に取り付けられる取付部と、両端面が開口し、内部に固定部材を収容する収容溝と、前記収容溝に交差して形成された連結ボルト用挿通孔とを有した固定用ブラケットを具備し、建造物の躯体に設けたファスナー及び前記連結ボルト用挿通孔を介して前記固定部材に連結ボルトを締結することにより、当該ファスナーを介して前記躯体に前記面材を支持させるようにしたカーテンウォールにおいて、
前記固定用ブラケットは、前記収容溝の両端部において前記固定部材の端面の少なくとも一部に対向する部位に脱落防止部材を備えたことを特徴とするカーテンウォール。
【請求項５】
前記固定部材は、ナット部材であり、
前記脱落防止部材は、頭部の一部を前記ナット部材の端面に対向させた状態で螺合したネジ部材であることを特徴とする請求項４に記載のカーテンウォール。
【請求項６】
前記取付部は、プレート状を成し、かつ前記収容溝は、前記取付部から突出して形成した収容部を貫通するように設けたものであり、
前記脱落防止部材は、弾性部材によって無端環状に成形し、前記収容溝の両端面を通過した状態で前記収容部に装着した弾性ベルト部材である
ことを特徴とする請求項４に記載のカーテンウォール。
【発明の詳細な説明】
【技術分野】
【０００１】
本発明は、カーテンウォール固定用ブラケット及びカーテンウォールに関する。
【背景技術】
【０００２】
建造物の外壁として用いられるカーテンウォールは、コンクリートパネルやガラスによって構成した面材と、この面材を躯体に固定するための固定用ブラケットとを備えて構成されている。固定用ブラケットは、面材の内表面に沿って延在する取付部と、取付部の上端部から外方に向けて突設した突設部とを有しており、取付部を介して面材の内表面に取り付けられている。固定用ブラケットの取付部には、面材との間に位置する部位に固定部材としてナット部材が設けられている。ナット部材は、連結ボルトが螺合するための締結孔を有したもので、取付部において面材に対向する部位に設けた収容溝に収容されている。収容溝は、面材に対向する部位の開口が内部の幅よりも狭幅となるように構成されており、端面から挿入したナット部材を脱落することなく保持することが可能である。
【０００３】
この種のカーテンウォールを建造物に取り付ける場合には、まず、躯体にファスナーが取り付けられる。ファスナーは、躯体の上面に固定される固定片と固定片の先端部から上方に向けて延在した起立片とを備えたアングル材である。このファスナーの起立片を覆う態様で固定用ブラケットの突設部を配置し、さらにファスナーの起立片及び固定用ブラケットの取付部を介してナット部材に連結ボルトを締結すれば、面材が躯体に支持されることになる。
【先行技術文献】
【特許文献】
【０００４】
【特許文献１】特開２００６−１４４２９０号公報
【発明の概要】
【発明が解決しようとする課題】
【０００５】
上記のようなカーテンウォール固定用ブラケットにおいては、ウェルドナットのようにナット部材を固定用ブラケットに溶接していないため、熱による変形が招来されることがなく、寸法精度の点で有利となる。しかしながら、固定用ブラケットを運搬する場合には、収容溝の端面からナット部材が脱落する恐れがある。
【０００６】
このため従来では、固定用ブラケットの取付部に形成した連結ボルト用挿通孔とナット部材の締結孔とに亘ってリング部材を挿通させたり、索状部材を挿通させて縛ることにより、ナット部材の固定用ブラケットからの脱落を防止するようにしている。
【０００７】
しかしながら、リング部材や索状部材を挿通させた場合には、そのまま連結ボルトを締結することが困難である。従って、連結ボルトの締結作業時には、都度リング部材や索状部材を取り外す作業が必要となり、作業性の点で必ずしも好ましいとはいえない。
【０００８】
本発明は、上記実情に鑑みて、寸法精度の低下や連結ボルトを締結する際の作業性低下を招来することなく、固定部材の脱落を確実に防止することのできるカーテンウォール固定用ブラケット及びカーテンウォールを提供することを目的とする。
【課題を解決するための手段】
【０００９】
上記目的を達成するため、本発明に係るカーテンウォール固定用ブラケットは、カーテンウォールを構成する面材に取り付けられる取付部と、両端面が開口し、内部に固定部材を収容する収容溝と、前記収容溝に交差して形成された連結ボルト用挿通孔とを有し、建造物の躯体に設けたファスナー及び前記連結ボルト用挿通孔を介して前記固定部材に連結ボルトを締結することにより、当該ファスナーを介して前記躯体に前記面材を支持させるカーテンウォール固定用ブラケットにおいて、前記収容溝の両端部において前記固定部材の端面の少なくとも一部に対向する部位に脱落防止部材を配設したことを特徴とする。
【００１０】
また、本発明に係るカーテンウォール固定用ブラケットは、上述したカーテンウォール固定用ブラケットにおいて、前記固定部材は、ナット部材であり、前記脱落防止部材は、頭部の一部を前記ナット部材の端面に対向させた状態で螺合したネジ部材であることを特徴とする。
【００１１】
また、本発明に係るカーテンウォール固定用ブラケットは、上述したカーテンウォール固定用ブラケットにおいて、前記取付部は、プレート状を成し、かつ前記収容溝は、前記取付部から突出して形成した収容部を貫通するように設けたものであり、前記脱落防止部材は、弾性部材によって無端環状に成形し、前記収容溝の両端面を通過した状態で前記収容部に装着した弾性ベルト部材であることを特徴とする。
【００１２】
また、本発明に係るカーテンウォールは、面材に取り付けられる取付部と、両端面が開口し、内部に固定部材を収容する収容溝と、前記収容溝に交差して形成された連結ボルト用挿通孔とを有した固定用ブラケットを具備し、建造物の躯体に設けたファスナー及び前記連結ボルト用挿通孔を介して前記固定部材に連結ボルトを締結することにより、当該ファスナーを介して前記躯体に前記面材を支持させるようにしたカーテンウォールにおいて、前記固定用ブラケットは、前記収容溝の両端部において前記固定部材の端面の少なくとも一部に対向する部位に脱落防止部材を備えたことを特徴とする。
【００１３】
また、本発明に係るカーテンウォールは、上述したカーテンウォールにおいて、前記固定部材は、ナット部材であり、前記脱落防止部材は、頭部の一部を前記ナット部材の端面に対向させた状態で螺合したネジ部材であることを特徴とする。
【００１４】
また、本発明に係るカーテンウォールは、上述したカーテンウォールにおいて、前記取付部は、プレート状を成し、かつ前記収容溝は、前記取付部から突出して形成した収容部を貫通するように設けたものであり、前記脱落防止部材は、弾性部材によって無端環状に成形し、前記収容溝の両端面を通過した状態で前記収容部に装着した弾性ベルト部材であることを特徴とする。
【発明の効果】
【００１５】
本発明によれば、収容溝の両端部において固定部材の端面の少なくとも一部に対向する部位に脱落防止部材を配設しているため、固定部材を溶接することなくその脱落を確実に防止することが可能である。しかも、収容溝の端部に配設した脱落防止部材は、連結ボルトを締結する際に取り外す必要がないため、締結する際の作業性が低下することもない。
【図面の簡単な説明】
【００１６】
【図１】図１は、本発明の実施の形態１であるカーテンウォールにおける固定用ブラケットとファスナーとの連結部を示す断面図である。
【図２】図２は、図１における II−II 線断面図である。
【図３−１】図３−１は、図１のカーテンウォールに適用する固定用ブラケットの分解斜視図である。
【図３−２】図３−２は、図１のカーテンウォールに適用する固定用ブラケットの分解斜視図である。
【図４】図４は、図１に示したカーテンウォールの断面側面図である。
【図５】図５は、図１に示したカーテンウォールにおける固定用ブラケットとファスナーとの連結部を示す平面図である。
【図６】図６は、本発明の実施の形態２であるカーテンウォール固定用ブラケットの斜視図である。
【発明を実施するための形態】
【００１７】
以下、添付図面を参照しながら本発明に係るカーテンウォール固定用ブラケット及びカーテンウォールの好適な実施の形態について詳細に説明する。
【００１８】
（実施の形態１）
図４及び図５は、本発明の実施の形態１であるカーテンウォールを示したものである。ここで例示するカーテンウォール１は、建造物の外壁として用いられるもので、面材１０と面材１０を建造物の躯体Ａに支持させるための固定用ブラケット２０とを備えて構成してある。
【００１９】
面材１０は、上枠部材１１、下枠部材１２及び左右一対の縦枠部材１３を四周枠組みすることによって構成した枠の内部にガラスやコンクリート等の面材パネル１４を保持したものである。
【００２０】
固定用ブラケット２０は、図１〜図３−２に示すように、矩形のプレート状を成す取付部２１と、取付部２１の外表面においてその上端となる部位から直角方向に延在した調整ボルト装着部２２とを有したもので、アルミニウムの押出形材としてこれら取付部２１及び調整ボルト装着部２２を一体に成形してある。
【００２１】
取付部２１は、面材１０の縦枠部材１３に取り付けられる部分であり、高さ方向の略中間となる部位に収容部２３を有し、かつこの収容部２３を挟んで上下となる部位にそれぞれ取付ボルト用貫通孔２４を有している。収容部２３は、取付部２１の外表面において左右方向に沿うように突出した部分であり、横断面が略半円柱状を成している。
【００２２】
この収容部２３には、その左右両端部に開口するようにナット収容溝（収容溝）２３ａ、プレート収容溝（収容溝）２３ｂ、開口溝２３ｃ及びネジ取付溝２３ｄが形成してある。ナット収容溝２３ａは、横断面が矩形の溝であり、収容部２３において板厚方向のほぼ中央となる部位に貫設してある。プレート収容溝２３ｂは、ナット収容溝２３ａにおいて収容部２３の突出端部側に位置する部位から上方及び下方に延在した溝である。プレート収容溝２３ｂの板厚方向寸法は、ナット収容溝２３ａよりも十分に小さく構成してある。このプレート収容溝２３ｂは、ナット収容溝２３ａとの間において薄板状部材を、取付部２１と平行となる姿勢で収容することが可能である。開口溝２３ｃは、ナット収容溝２３ａを取付部２１の内表面に開口させるための溝である。この開口溝２３ｃは、上下方向の寸法がナット収容溝２３ａよりも小さく形成してある。ネジ取付溝２３ｄは、ネジ部材３０を螺合することのできる小径の溝であり、ナット収容溝２３ａにおいて高さ方向の略中間となる部位に隣接して設けてある。ネジ取付溝２３ｄとナット収容溝２３ａとの距離は、ネジ取付溝２３ｄにネジ部材３０を螺合させた場合に、ネジ部材３０の頭部３０ａがナット収容溝２３ａの開口に対してプレート収容溝２３ｂの板厚方向寸法分だけ突出できるように設定してある。図からも明らかなように、これらナット収容溝２３ａ、プレート収容溝２３ｂ、開口溝２３ｃ及びネジ取付溝２３ｄは、互いに高さ方向の中心位置を収容部２３の高さ方向中心位置に合致させた状態で収容部２３に設けてある。
【００２３】
また、取付部２１の収容部２３には、連結ボルト用挿通孔２３ｅが形成してある。連結ボルト用挿通孔２３ｅは、連結ボルト４０を挿通させるための円形開口であり、収容部２３の左右方向略中央となる部位にその中心軸線が収容部２３の高さ方向中心位置に合致する態様で設けてある。
【００２４】
一対の取付ボルト用貫通孔２４は、それぞれ取付部２１の外表面から取付ボルト４１を挿通させるための円形開口である。
【００２５】
尚、図中の符号２５は、固定用ブラケット２０を面材１０に取り付ける際の位置決めとなる一条の突起である。
【００２６】
一方、固定用ブラケット２０の調整ボルト装着部２２は、取付部２１から水平方向に沿って延在した後、その延在端部が下方に向けて略直角に屈曲している。この調整ボルト装着部２２において水平に延在した部分には、その中心部に調整ボルト挿通孔２６が形成してあるとともに、その下面に調整ナット収容溝２２ａが形成してある。調整ボルト挿通孔２６は、その上面から調整ボルト４２を挿通させるための円形開口である。調整ナット収容溝２２ａは、横断面が矩形状で左右両端部が開口した溝であり、その中心軸線が調整ボルト挿通孔２６の中心軸線と直交する態様で調整ボルト装着部２２に形成してある。
【００２７】
この調整ナット収容溝２２ａには、調整ナット４３が収容してある。調整ナット４３は、調整ボルト挿通孔２６に挿通した調整ボルト４２に螺合するためのものである。調整ボルト４２は、ネジ部にロックナット４４を備えたもので、調整ボルト４２及びロックナット４４によって固定用ブラケット２０の調整ボルト装着部２２に装着されている。
【００２８】
さらに、固定用ブラケット２０には、取付部２１の収容部２３に四角ナット（ナット部材）５０及びガイドプレート（ナット部材）５１が収容してある。四角ナット５０は、外形が四角状に構成され、かつ中央部にネジ孔５０ａを備えたナットであり、収容部２３に形成したナット収容溝２３ａに収容することが可能である。この四角ナット５０は、その一辺が開口溝２３ｃの上下方向寸法より大きく構成してあり、両端部の開口を介してのみナット収容溝２３ａに挿入／抜去することが可能である。また、四角ナット５０は、板厚方向の寸法が、ナット収容溝２３ａの板厚方向寸法よりも僅かに小さく構成してある。ガイドプレート５１は、中心部に矩形の装着孔５１ａを有した薄板状部材であり、収容部２３に形成したプレート収容溝２３ｂに収容することが可能である。ガイドプレート５１に形成した装着孔５１ａは、四角ナット５０を収容することのできる大きさに形成したものである。これら四角ナット５０及びガイドプレート５１は、図３−１に示すように、装着孔５１ａに四角ナット５０を収容した状態でガイドプレート５１がプレート収容溝２３ｂに収容されるとともに、四角ナット５０がナット収容溝２３ａに収容され、さらに図３−２に示すように、収容部２３のネジ取付溝２３ｄにそれぞれネジ部材３０を螺合することによって固定用ブラケット２０からの脱落が阻止されることになる。
【００２９】
上記のように構成した固定用ブラケット２０は、一対の取付ボルト用貫通孔２４及び面材１０の縦枠部材１３に設けた取付ボルト用挿通孔１３ａを介してそれぞれ取付ボルト４１を挿通し、かつ取付ボルト４１のそれぞれを裏板１５に形成したネジ孔１５ａに螺合させることによって面材１０に取り付けられ、カーテンウォール１を構成する。固定用ブラケット２０が取り付けられるのは、面材１０を構成する左右一対の縦枠部材１３においてそれぞれの上端部である。
【００３０】
このカーテンウォール１を建造物に支持させる場合には、まず、建造物の躯体ＡにファスナーＢと称されるアングル材を取り付ける。ファスナーＢは、躯体Ａの上面に取り付けられる水平片Ｂ１と、水平片Ｂ１の前端部から上方に向けて延在した鉛直片Ｂ２とを備えたもので、鉛直片Ｂ２にルーズホールＢ３を有している。ルーズホールＢ３は、上下方向に沿って形成した連結ボルト４０の貫通孔である。このルーズホールＢ３及び固定用ブラケット２０の収容部２３に設けた連結ボルト用挿通孔２３ｅに連結ボルト４０を挿通させ、さらに連結ボルト４０を収容部２３の四角ナット５０に締結すれば、これらファスナーＢ及び固定用ブラケット２０を介して面材１０が建造物に支持されることになる。すなわち、連結ボルト４０を四角ナット５０に螺合させることでファスナーＢに対する固定用ブラケット２０の左右方向及び離反する方向の相対移動が規制され、さらに調整ボルト４２の下端面がファスナーＢの鉛直片Ｂ２に設けた受片Ｂ４に当接することでファスナーＢに対する固定用ブラケット２０の下方への移動が規制されることになる。
【００３１】
ここで、連結ボルト４０が螺合される四角ナット５０は、固定用ブラケット２０の取付部２１に設けたナット収容溝２３ａに収容させたもので、ウェルドナットのように溶接したものではない。従って、固定用ブラケット２０に熱による変形が招来される恐れはなく、高い寸法精度を確保することができる。しかも、四角ナット５０は、ガイドプレート５１によってその位置が規制され、さらに固定用ブラケット２０に螺合させたネジ部材３０の頭部３０ａによってガイドプレート５１のプレート収容溝２３ｂからの脱落が阻止されているため、ナット収容溝２３ａから脱落することがない。従って、仮にカーテンウォール１を長時間運搬して建造物の建築現場に搬入したとしても、四角ナット５０が紛失する恐れはなく、連結ボルト４０の締結作業を確実に実施することが可能である。加えて、四角ナット５０の脱落を阻止するネジ部材３０は、連結ボルト４０を締結する際にも取り外す必要がないため、作業性が損なわれる恐れも全くない。
【００３２】
尚、上述した実施の形態１では、取付部２１に収容部２３を突設し、この収容部２３にナット収容溝２３ａ及びプレート収容溝２３ｂを形成しているが、必ずしも収容部２３を設ける必要はなく、直接取付部２１にナット収容溝２３ａ及びプレート収容溝２３ｂを形成しても構わない。
【００３３】
（実施の形態２）
図６は、本発明の実施の形態２であるカーテンウォール固定用ブラケットを示したものである。ここで例示するカーテンウォール固定用ブラケット２０は、実施の形態１と同様に、建造物の外壁として用いられるカーテンウォール１の面材１０を建造物の躯体Ａに支持させるためのもので、実施の形態１とは脱落防止部材の構成のみが異なっている。尚、以下の説明において実施の形態１と同様の構成に関しては、同一の符号を付してそれぞれの詳細説明を省略する。
【００３４】
実施の形態２のカーテンウォール固定用ブラケット２０では、実施の形態１のネジ部材３０に代えて、ゴム等の弾性材料によって無端環状に成形した輪ゴム７０を脱落防止部材として適用している。この輪ゴム７０は、プレート収容溝２３ｂを含む位置においてナット収容溝２３ａの両端開口を覆う態様で収容部２３の外周部に装着してある。
【００３５】
この実施の形態２においても、連結ボルト４０が螺合される四角ナット５０は、固定用ブラケット２０の取付部２１に設けたナット収容溝２３ａに収容させてあるため、ウェルドナットのように溶接したものではない。従って、固定用ブラケット２０に熱による変形が招来される恐れはなく、高い寸法精度を確保することができる。しかも、四角ナット５０は、ガイドプレート５１によってその位置が規制され、さらに固定用ブラケット２０の収容部２３に装着した輪ゴム７０によってガイドプレート５１のプレート収容溝２３ｂからの脱落が阻止されているため、ナット収容溝２３ａから脱落することがない。従って、仮にカーテンウォール１を長時間運搬して建造物の建築現場に搬入したとしても、四角ナット５０が紛失する恐れはなく、連結ボルト４０の締結作業を確実に実施することが可能である。加えて、四角ナット５０の脱落を阻止する輪ゴム７０は、連結ボルト４０を締結する際にも取り外す必要がないため、作業性が損なわれる恐れも全くない。
【００３６】
尚、上述した実施の形態１及び２では、いずれも固定部材としてガイドプレート５１と四角ナット５０とを備えたものを例示している。従って、汎用の四角ナット５０を適用することでコストの低減を図ることが可能である。しかしながら、固定部材としては必ずしもガイドプレート５１と四角ナット５０とを備えてものである必要はない。例えば、四角ナット５０に代えて六角ナットを適用しても良いし、ネジ孔を形成したプレート状部材をナット部材として適用することも可能である。プレート状部材をナット部材として適用する場合には、上述したプレート収容溝２３ｂを固定用ブラケット２０に形成する必要はなく、ナット収容溝２３ａのみを形成すれば良い。
【符号の説明】
【００３７】
１      カーテンウォール
１０      面材
２０      カーテンウォール固定用ブラケット
２１      取付部
２３      収容部
２３ａ      ナット収容溝
２３ｂ      プレート収容溝
２３ｄ      ネジ取付溝
２３ｅ      連結ボルト用挿通孔
３０      ネジ部材
３０ａ      頭部
４０      連結ボルト
５０      四角ナット
５１      ガイドプレート
７０      輪ゴム
【図１】
2010174572.tif 000003
【図２】
2010174572.tif 000004
【図３−１】
2010174572.tif 000005
【図３−２】
2010174572.tif 000006
【図４】
2010174572.tif 000007
【図５】
2010174572.tif 000008
【図６】
2010174572.tif 000009